(57)【要約】【課題】一回の縫合で多重縫合の効果を提供する縫合糸を提供する。【解決手段】第１フィラメントと、第２フィラメントと、前記第１フィラメントの一端及び前記第２フィラメントの一端に結合された第１ニードルと、前記第１フィラメントの他端及び前記第２フィラメントの他端に結合された第２ニードルとを含む。【選択図】  図３
0003225260.tif 000002
【実用新案登録請求の範囲】
【請求項１】
第１フィラメントと、
第２フィラメントと、
前記第１フィラメントの一端及び前記第２フィラメントの一端に結合された第１ニードルと、
前記第１フィラメントの他端及び前記第２フィラメントの他端に結合された第２ニードルとを含む、縫合糸。
【請求項２】
前記第１フィラメントと前記第２フィラメントは互いに異なる色相を有する、請求項１に記載の縫合糸。
【請求項３】
前記第１フィラメントと前記第２フィラメントの長さは同一である、請求項１に記載の縫合糸。
【請求項４】
前記第１フィラメントと前記第２フィラメントを連結する少なくとも一つの連結部材をさらに含む、請求項１に記載の縫合糸。
【請求項５】
前記少なくとも一つの連結部材は、所定の間隔で配置される、請求項４に記載の縫合糸。
【請求項６】
第１ニードルは第１ブラインドホールが設けられ、
第２ニードルは第２ブラインドホールが設けられ、
前記第1フィラメントの一端及び前記第２フィラメントの一端は、前記第1ブラインドホールに挿入され、
前記第１フィラメントの他端及び前記第２フィラメントの他端は、前記第２ブラインドホールに挿入される請求項１乃至請求項５のいずれか一項に記載の縫合糸。
【請求項７】
前記第１ニードルの前記第1ブラインドホールが設けられた側の一端及び前記第２ニードルの前記第２ブラインドホールが設けられた側の一端は、外周面が縮小した円錐台形を有する請求項６に記載の縫合糸。
【請求項８】
前記第１ブラインドホール及び前記第２ブラインドホールの各々は、接着部材が充填されている請求項６又は請求項７に記載の縫合糸。
【考案の詳細な説明】
【技術分野】
【０００１】
本考案は手術用縫合糸に係り、より詳しくは一回の縫合で多重縫合の効果を提供する縫合糸に関するものである。
【背景技術】
【０００２】
整形手術の分野において眼瞼形成術（Ｅａｓｔ  Ａｓｉａｎ  ｂｌｅｐｈａｒｏｐｌａｓｔｙ）方法は、大別して切開法と埋没法に区分することができる。切開法はまぶたが垂れている人、若しくは目の皮膚、筋肉又は脂肪層が厚い人に適した手術法であるが、切開窓を通して脂肪と筋肉を除去する過程を経るところ、回復期間が長いという欠点がある。一方、埋没法は切開せずにまぶたの小さな孔に糸を通して二重瞼を作る手術法である。
【０００３】
埋没法に使われる縫合糸及び手術過程を図１及び図２をそれぞれ参照して説明する。
【０００４】
図１は一般的な縫合糸構造の一例を示し、図２は一般的な埋没法方式の眼瞼形成術の概略的な説明のための図である。
【０００５】
図１を参照すると、埋没法の眼瞼形成術に使われる縫合糸は、一筋のフィラメント２０と、フィラメント２０の両端にそれぞれ連結された円弧形ニードル１０Ａ、１０Ｂとを含むことができる。２本のニードルを備えているので、このような縫合糸を双針縫合糸ともいう。
【０００６】
このような縫合糸を使う場合、図２に示したように、まぶた３０と眉毛４０間の所望の二重瞼ラインに沿ってメスなどを用いて形成した複数の微細な切開孔５１、５２、５３、５４にニードル１０Ａ、１０Ｂを上下に交互に通過させ、一側でフィラメント２０の両端のニードル１０Ａ、１０Ｂを除去した後、結び目を作る方式で手術を行うことができる。もちろん、場合によっては、縫合糸のフィラメント２０を半分に切った後、１本のニードルのみで両眼のうち一側の二重瞼を形成するための縫合を行うこともある。
【０００７】
ところが、上述したような一般的な縫合糸を使えば、一回の縫合で一つの結び目のみ形成するので、該当結び目の緩み、まぶた筋肉の収縮又は目擦りなどによる張力などによってフィラメント２０が切れると、ひどい場合、二重瞼が解けることもある。これを補うために、一部では二重結び目方式を使うこともあるが、同じ縫合を２回行わなければならないから、手術時間が長くかかるだけでなく、正確に同じ地点にニードルを通過させるのに大きな難しさが従う。
【考案の概要】
【考案が解決しようとする課題】
【０００８】
本考案の目的は、１回の縫合で多重縫合の効果を与えることができる縫合糸を提供することである。
【０００９】
本考案で達成しようとする技術的課題は以上で言及した技術的課題に制限されず、言及しなかった他の技術的課題は以下の記載から本考案が属する技術分野で通常の知識を有する者に明らかに理解可能であろう。
【課題を解決するための手段】
【００１０】
前記のような技術的課題を解決するために、本考案の一実施形態による縫合糸は、第１フィラメントと、第２フィラメントと、前記第１フィラメントの一端及び前記第２フィラメントの一端に結合された第１ニードルと、前記第１フィラメントの他端及び前記第２フィラメントの他端に結合された第２ニードルとを含むことができる。
【００１１】
例えば、前記第１フィラメントと前記第２フィラメントは互いに異なる色相を有することができる。
【００１２】
例えば、前記第１フィラメントと前記第２フィラメントの長さは同一であってもよい。
【００１３】
例えば、前記第１フィラメントと前記第２フィラメントを連結する少なくとも一つの連結部材をさらに含むことができる。
【００１４】
例えば、前記少なくとも一つの連結部材は所定の間隔で配置されることができる。
【考案の効果】
【００１５】
本考案によれば、両ニードルの間に多重フィラメントが連結されるので、１回の縫合で多重縫合の効果を得ることができる。
【００１６】
本考案で得られる効果は以上で言及した効果に制限されず、言及しなかった他の効果は以下の記載から本考案が属する技術分野で通常の知識を有する者に明らかに理解可能であろう。
【図面の簡単な説明】
【００１７】
【図１】一般的な縫合糸構造の一例を示す図である。
【図２】一般的な埋没法方式の眼瞼形成術法の概略的な説明のための図である。
【図３】本考案の一実施形態による縫合糸形態の一例を示す図である。
【図４】本考案の一実施形態による縫合糸を用いる埋没法の手術が行われる形態の一例を示す図である。
【図５】図３の‘Ｃ’部を拡大した図である。
【図６】図３の‘Ｄ’部を拡大した図である。
【考案を実施するための形態】
【００１８】
以下では、添付図面を参照して本考案の実施形態について本考案が属する技術分野で通常の知識を有する者が容易に実施することができるように詳細に説明する。しかし、本考案は様々な形態に具現されることができ、ここで説明する実施形態に限定されない。そして、図面では、本考案を明確に説明するために、説明に関係ない部分は省略し、明細書全般にわたって類似の部分に対しては類似の図面符号を付けた。
【００１９】
明細書全般にわたり、ある部分がある構成要素を“含む”というとき、これは、特に反対の記載がない限り、他の構成要素を除くものではなく、他の構成要素をさらに含むことができることを意味する。また、明細書全般にわたって同じ参照番号で表示した部分は同じ構成要素を意味する。
【００２０】
本考案の一実施形態では、縫合糸のニードルの間にフィラメントを多重で連結することにより、１回の縫合で多重縫合の効果を得ることができるようにすることを提案する。
【００２１】
図３は本考案の一実施形態による縫合糸形態の一例を示す。
【００２２】
図３を参照すると、本実施形態による縫合糸は、互いに並んでいる二筋のフィラメント２００Ａ、２００Ｂと、二筋のフィラメント２００Ａ、２００Ｂの両端にそれぞれ結合されたニードル１００Ａ、１００Ｂとを含むことができる。
【００２３】
ここで、ニードル１００Ａ、１００Ｂは所定曲率の円弧形を有することができる。例えば、ニードル１００Ａ、１００Ｂは所定の曲率を有する円の円周の３／８に相当する円弧形を有することができるが、必ずしもこのような比率に限定されるものではない。また、ニードル１００Ａ、１００Ｂは断面形状が円形であっても、多角形（例えば、三角形）であってもよい。ニードル１００Ａ、１００Ｂの一端はフィラメント２００Ａ、２００Ｂと連結され、他端は皮膚又は組職を貫通しやすくなるように尖っている形状を有することができる。
【００２４】
フィラメント２００Ａ、２００Ｂは、埋没法の手術に使われる場合、非吸収性縫合材（ｎｏｎａｂｓｏｒｂａｂｌｅ  ｓｕｔｕｒｅ  ｍａｔｅｒｉａｌ）であることが好ましく、このような素材としては、シルク、ナイロン、プロレン、ダクロンなどを挙げることができるが、これらに限定されるものではない。例えば、フィラメント２００Ａ、２００Ｂはいずれも非吸収性糸であることもでき、いずれか一方は非吸収性糸、他方は吸収性糸であることもよく、いずれも吸収性糸であってもよい。
【００２５】
二筋のフィラメント２００Ａ、２００Ｂは、長さの差によるフィラメント間のもつれを防止するために、長さが互いに同一であることが好ましい。また、一方のフィラメントは当該フィラメントの両端どうし結び目が作られなければならないので、執刀医の混同を防止するために、二筋のフィラメント２００Ａ、２００Ｂは互いに異なる色相を有することが好ましい。例えば、一方のフィラメント２００Ａは黒色、他方のフィラメント２００Ｂは青色であり得るが、必ずしもこれに限定されるものではない。
【００２６】
実施形態による縫合糸が埋没法の手術に適用される形態を図４に基づいて説明する。
【００２７】
図４は本考案の一実施形態による縫合糸を用いた埋没法の手術が行われる形態の一例を示す。
【００２８】
図４はまぶた３０と眉毛４０との間に形成された複数の切開孔５１、５２、５３、５４に沿ってフィラメント２００Ａ、２００Ｂが通った後、ニードルが除去された状態を示す。基本的な手術方法は図２に基づいて前述したものと同様であるので、明細書の明瞭さのために重複の説明は省略する。
【００２９】
図４を参照すると、図２と同様にニードルが同一経路を一回のみ通過することになるが、フィラメント２００Ａ、２００Ｂが二重のものなので、同じ経路を通して２回の縫合が行われた結果を有するようになる。このような状態で同じフィラメントの両端どうし結び目を作れば、二つの同じ形状を有する独立した縫合がそれぞれなされる。もちろん、前述したように、各フィラメント２００Ａ、２００Ｂの色相が互いに異なるので、互いに異なるフィラメントに結び目が作られるおそれも小さい。
【００３０】
結局、一回の縫合によって多重縫合の効果が得られるので、手術時間が短縮され、一方のフィラメントが切れても、他方の縫合が独立的に維持されるので、二重瞼が解けないで維持されることができる。
【００３１】
以下では、図５及び図６に基づいて実施形態による縫合糸の詳細構成を説明する。
【００３２】
図５は図３の‘Ｃ’部を拡大した図である。
【００３３】
図５を参照すると、ニードル１００Ａにおいてフィラメント２００Ａ、２００Ｂと連結される一端にはブラインドホールＢＨが形成されることができ、ブラインドホールＢＨ内に各フィラメント２００Ａ、２００Ｂの一側端部が挿入されることができる。ブラインドホールＢＨに挿入されたフィラメント２００Ａ、２００Ｂを固定するために、ニードル１００Ａの一端部１２０Ａは外周面が縮小した円錐台形を有することができる。実施形態によって、ブラインドホールＢＨにおいてフィラメント２００Ａ、２００Ｂが占める空間を除いた空間には接着部材が充填されることもできる。もちろん、このようなフィラメント固定方式は例示的なもので、必ずしもこれに限定されるものではない。
【００３４】
図６は図３の‘Ｄ’部を拡大した図である。
【００３５】
図６を参照すると、二筋のフィラメント２００Ａ、２００Ｂの間には、相互間のもつれの防止のために、連結部材３００が配置されることができる。連結部材３００は高分子系素材であり得るが、必ずしもこれに限定されるものではない。図６には一つの連結部材３００のみ示されているが、複数の連結部材が所定の間隔で二筋のフィラメント２００Ａ、２００Ｂの間に配置されることもできる。
【００３６】
一方、上述した縫合糸は埋没法方式の眼瞼形成術に適用される場合を仮定して説明したが、これは本考案の理解を助けるためのものであり、本考案による縫合糸はこれに限定されず、他の方式の手術にも適用可能であることが当業者に明らかであろう。
【００３７】
前述した詳細な説明は全ての面で制限的に解釈されてはいけなく、例示的なものとして考慮されなければならない。本考案の範囲は添付の請求範囲の合理的解釈によって決定されなければならなく、本考案の等価的範囲内での全ての変更は本考案の範囲に含まれる。
【符号の説明】
【００３８】
１００Ａ、１００Ｂ    ニードル
２００Ａ、２００Ｂ    フィラメント
３００    連結部材
【図１】
0003225260.tif 000003
【図２】
0003225260.tif 000004
【図３】
0003225260.tif 000005
【図４】
0003225260.tif 000006
【図５】
0003225260.tif 000007
【図６】
0003225260.tif 000008